(57)【要約】【課題】印刷処理をスムーズに行うことができ、従来以上にユーザビリティの高い画像形成装置および画像形成装置の表示方法を提供する。【解決手段】複数の給紙口の用紙の枚数を検知する用紙枚数検知手段と、前記給紙口の用紙の有無や残量などを絵図として表示する表示手段と、印字データの有無を検知する印字データ検知手段と、を有する画像形成装置において、前記用紙枚数検知手段からの検知結果と前記印字データ検知手段からの検知結果に基づいて、前記表示手段の部位を点灯もしくは点滅もしくは消灯させる制御手段を有することを特徴とする。【選択図】        図４
2006250980.tif 000002
【特許請求の範囲】
【請求項１】
複数の給紙口の用紙の枚数を検知する用紙枚数検知手段と、
前記給紙口の用紙の有無や残量などを絵図として表示する表示手段と、
印字データの有無を検知する印字データ検知手段と、を有する画像形成装置において、
前記用紙枚数検知手段からの検知結果と前記印字データ検知手段からの検知結果に基づいて、前記表示手段の部位を点灯もしくは点滅もしくは消灯させる制御手段
を有することを特徴とする画像形成装置。
【請求項２】
前記制御手段は、前記用紙枚数検知手段からの用紙無しの検知結果と、前記印字データ検知手段からの印字データ有りの検知結果と、に基づいて、使用選択されている給紙口の前記表示手段の部位を点灯もしくは点滅させ、使用選択されている給紙口以外の全ての給紙口の前記表示手段の部位を消灯させる制御手段であることを特徴とする請求項１に記載の画像形成装置。
【請求項３】
前記制御手段は、前記用紙枚数検知手段からの用紙無しの検知結果と、前記印字データ検知手段からの印字データ無しの検知結果と、に基づいて、用紙の無い全ての給紙口の給紙口の前記表示手段の部位を点灯もしくは点滅させる制御手段であることを特徴とする請求項１に記載の画像形成装置。
【請求項４】
前記制御手段は、前記用紙枚数検知手段からの用紙有りの検知結果と、前記印字データ検知手段からの印字データ有りの検知結果と、に基づいて、使用選択されている給紙口の前記表示手段の部位を点灯もしくは点滅させ、使用選択されている給紙口以外の全ての給紙口の前記表示手段の部位を消灯させる制御手段であることを特徴とする請求項１に記載の画像形成装置。
【請求項５】
前記制御手段は、前記用紙枚数検知手段からの用紙有りの検知結果と、前記印字データ検知手段からの印字データ無しの検知結果と、に基づいて、使用選択されている給紙口の前記表示手段の部位を点灯もしくは点滅させ、使用選択されている給紙口以外の全ての給紙口の前記表示手段の部位を消灯させる制御手段であることを特徴とする請求項１に記載の画像形成装置。
【請求項６】
複数の給紙口の用紙の枚数を検知する用紙枚数検知手段と、
前記給紙口の用紙の有無や残量などを絵図として表示する表示手段と、
印字データの有無を検知する印字データ検知手段と、を有する画像形成装置の表示方法であって、
前記用紙枚数検知手段からの検知結果と前記印字データ検知手段からの検知結果に基づいて、前記表示手段の部位を点灯もしくは点滅もしくは消灯させる
ことを特徴とする画像形成装置の表示方法。
【発明の詳細な説明】
【技術分野】
【０００１】
本発明は、複数の給紙口を備える画像形成装置および画像形成装置の表示方法に関する。
【背景技術】
【０００２】
画像形成装置には、通常、装置各部の異常や警告等を表示してオペレーターに知らせる表示部が設けられており、その表示部には、用紙のサイズ、用紙の有無、用紙の残量に関する表示機能も含まれている。
【０００３】
画像形成装置の表示装置として、例えば特許文献１には、給紙口が複数設けられている場合に、給紙口が使用選択されているか否かに関係なく、用紙有無検知センサーの検知信号に基づいて用紙が無い給紙口に対応する用紙残量表示部に空表示させる表示装置がある。
【特許文献１】特開平５−２７５２９号公報
【発明の開示】
【発明が解決しようとする課題】
【０００４】
しかしながら、給紙口が使用選択されているか否かに関係なく、用紙無しの給紙口に対応する用紙残量表示部に空表示させる場合、ユーザーに不必要に紙補給を行わせ、印刷処理を妨げることがある。また、印刷ジョブの有無に関わらず、用紙無しの給紙口に対応する用紙残量表示部に空表示させる場合、同様に、ユーザーに不必要に紙補給を行わせ、印刷処理を妨げることがある。
【０００５】
本発明は、以上の点に着目して成されたもので、印刷処理をスムーズに行うことができ、従来以上にユーザビリティの高い画像形成装置および画像形成装置の表示方法を提供することを目的とする。
【課題を解決するための手段】
【０００６】
本発明は前記した従来の問題点に鑑みてなされたものであり、本発明の画像形成装置は、
複数の給紙口の用紙の枚数を検知する用紙枚数検知手段と、
前記給紙口の用紙の有無や残量などを絵図として表示する表示手段と、
印字データの有無を検知する印字データ検知手段と、を有する画像形成装置において、
前記用紙枚数検知手段からの検知結果と前記印字データ検知手段からの検知結果に基づいて、前記表示手段の部位を点灯もしくは点滅もしくは消灯させる制御手段
を有することを特徴とする。
【０００７】
前記制御手段は、前記用紙枚数検知手段からの用紙無しの検知結果と、前記印字データ検知手段からの印字データ有りの検知結果と、に基づいて、使用選択されている給紙口の前記表示手段の部位を点灯もしくは点滅させ、使用選択されている給紙口以外の全ての給紙口の前記表示手段の部位を消灯させる制御手段であることを特徴とする。
【０００８】
前記制御手段は、前記用紙枚数検知手段からの用紙無しの検知結果と、前記印字データ検知手段からの印字データ無しの検知結果と、に基づいて、用紙の無い全ての給紙口の給紙口の前記表示手段の部位を点灯もしくは点滅させる制御手段であることを特徴とする。
【０００９】
前記制御手段は、前記用紙枚数検知手段からの用紙有りの検知結果と、前記印字データ検知手段からの印字データ有りの検知結果と、に基づいて、使用選択されている給紙口の前記表示手段の部位を点灯もしくは点滅させ、使用選択されている給紙口以外の全ての給紙口の前記表示手段の部位を消灯させる制御手段であることを特徴とする。
【００１０】
前記制御手段は、前記用紙枚数検知手段からの用紙有りの検知結果と、前記印字データ検知手段からの印字データ無しの検知結果と、に基づいて、使用選択されている給紙口の前記表示手段の部位を点灯もしくは点滅させ、使用選択されている給紙口以外の全ての給紙口の前記表示手段の部位を消灯させる制御手段であることを特徴とする。
【００１１】
複数の給紙口の用紙の枚数を検知する用紙枚数検知手段と、
前記給紙口の用紙の有無や残量などを絵図として表示する表示手段と、
印字データの有無を検知する印字データ検知手段と、を有する画像形成装置の表示方法であって、
前記用紙枚数検知手段からの検知結果と前記印字データ検知手段からの検知結果に基づいて、前記表示手段の部位を点灯もしくは点滅もしくは消灯させる
ことを特徴とする画像形成装置の表示方法。
【発明の効果】
【００１２】
本発明によれば、印刷処理をスムーズに行うことができ、従来以上にユーザビリティの高い画像形成装置および画像形成装置の表示方法を提供することができる。
【発明を実施するための最良の形態】
【００１３】
図１は本発明に係る画像形成装置である４色フルカラーレーザービームプリンタの要部概略図である。
【００１４】
図１に示すレーザービームプリンタは、垂直方向に並設された４個の像担持体としての感光体ドラム１０１０を備えている。この感光体ドラム１０１０は、駆動手段（不図示）によって、図１の反時計回りに方向に回転駆動される。
【００１５】
そして、感光体ドラム１０１０の周囲には、その回転方向に従って順に、感光体ドラム１０１０表面を均一に帯電する帯電装置１０１１、画像情報に基づいてレーザービームを照射し感光体ドラム１０１０上の静電潜像を形成するスキャナ部１０１２、静電潜像にトナーを付着させてトナー像として現像する現像装置１０１３、感光体ドラム１０１０上のトナー像を転写材に転写させる静電搬送転写装置１０１４、転写後の感光体ドラム１０１０表面に残った転写後トナーを除去するクリーニング装置１０１５等が配設されている。
【００１６】
ここで、感光体ドラム１０１０と帯電装置１０１１、現像装置１０１３、トナーを除去するクリーニング装置１０１４は、一体的にカートリッジ化され、プロセスカートリッジ１０１６を形成し、カラー印刷装置に着脱可能なものとなっている。
【００１７】
次に、各部の構成について順次説明する。
【００１８】
感光体ドラム１０１０は、その両端部を支持部材によって回転自在に支持されており、一方の端部に駆動モータ（不図示）からの駆動力が伝達されることにより、図中時計回りに回転駆動される。
【００１９】
各帯電装置１０１１は、ローラ状に形成された導電性ローラで、このローラを感光体ドラム１０１０表面に当接させるとともに、このローラに電源（不図示）によって帯電バイアス電圧を印加することにより、感光体ドラム１０１０表面を一様に帯電させるものであるスキャナ部１０１２は、感光ドラム１０１０の略垂直方向に配置され、レーザーダイオード（不図示）によって画像信号に対応する画像光がスキャナモーター（不図示）によって高速回転されるポリゴンミラー１０２８に照射される。ポリゴンミラーに反射した画像光は、結像レンズ１０１７を介して帯電済みの感光体ドラム１０１０表面を選択的に露光して静電潜像を形成するように構成している。
【００２０】
現像装置１０１３は、それぞれ転写材の搬送方向上流側から順にイエロー、シアン、マゼンタ、ブラックの各色のトナーをそれぞれ収納した現像器から構成される。感光体ドラム１０１０上の静電潜像の現像時には、対応する現像器の容器内のトナーを送り機構によって塗布ローラ１０１３ｙ１，１０１３ｃ１，１０１３ｍ１，１０１３ｋ１に送り込み、回転する現像ローラ１０１３ｙ２，１０１３ｃ２，１０１３ｍ２，１０１３ｋ２の外周にトナーを薄層塗布し、且つ、トナーへ電荷を付与（摩擦帯電）する。この現像ローラ１０１３ｙ２，１０１３ｃ２，１０１３ｍ２，１０１３ｋ２と、静電潜像が形成された感光体ドラム１０１０との間に現像バイアスを印加することにより、静電潜像にトナーを付着させてトナー像として現像するものである。
【００２１】
クリーニング装置１０１５は、現像装置１０１３によって感光体ドラム１０１０上に現像されたトナーが転写材１００４に転写された後、転写されないで感光体ドラム１０１０表面に残った所謂転写残トナーを除去するものである。
【００２２】
全て感光体ドラム１０１０に対向し、接するように循環移動するベルト部材としての静電搬送ベルト１００８が配設されている。
【００２３】
上記静電搬送ベルト１００８は、垂直方向に４軸でローラに支持され、外周面に転写材を静電吸着して上記感光体ドラム１０１０に転写材を接触させるべく循環移動する。又、静電搬送ベルト１００８の転写材搬送方向上流側には吸着ローラ１００９が当接している。
【００２４】
転写材の搬送に際しては、前記吸着ローラ１００９にバイアス電圧を印加することで、接地されたローラ１０１８ａとの間に電界を形成し、静電搬送ベルト１００８及び転写材の間に誘電分極を発生させて両者に静電吸着力を生じさせることができるようになっている。尚、ローラ１０１８ａにバイアス印加し、ローラ１０１８ａを対向設置しても同様の効果が得られる。
【００２５】
これにより、転写材は静電搬送ベルト１００８により転写位置まで搬送され、感光体ドラム１０１０上のトナー像が順次転写される。
【００２６】
前記静電搬送ベルト１００８の内側（裏面側）に当接し、４個の感光体ドラム１０１０に対応して転写部材としての転写ローラ１０１９が並設されている。これら転写ローラ１０１９には転写バイアス用電源（不図示）が接続されている。
【００２７】
これら転写ローラ１２は感光体ドラム１０１０と対向し、転写部を形成する。これら転写ローラ１０１９から正極性の電荷が静電搬送ベルト１００８を介して転写材に印加され、この電荷による電界により、感光体ドラム１０１０に接触中の転写材に、感光体ドラム１０１０上の負極性のトナー像が転写される。
【００２８】
本実施の形態に係る静電搬送ベルト１００８は、駆動ローラ１０２０、従動ローラ１０１８、テンションローラ１０２１の４本のローラにより掛け渡され、図１の時計回り方向に回転する。これにより、上述した静電搬送ベルト１００８が循環移動して転写材１００４が従動ローラ１０１８ａ側から駆動ローラ１０２０側へ搬送される間に感光体ドラム１０１０上のトナー像を転写される。
【００２９】
給紙部１０２２は、画像形成部に転写材１００４を給紙するものであり、複数枚の転写材１００４が給紙カセット１００５に収納されている。画像形成時には給紙ローラ１００６（半月ローラ）、レジストローラ対１００７が画像形成動作に応じて駆動回転し、給紙カセット１００５内の転写材１００４を１枚ずつ分離給紙するとともに、転写材１００４先端はレジストローラ対１００７に突き当たって一旦停止し、ループを形成した後、静電搬送ベルト１００８の回転と画像書出し位置の同期を取って、レジストローラ対１００７によって静電搬送ベルト１００８へと再給紙されていく。
【００３０】
定着部１０２３は、転写材１００４に転写された複数のトナー画像を定着させるものであり、駆動回転する加熱ローラ１０２４と、これに圧接して転写材１００４に熱及び圧力を印加する加圧ローラ１０２５とから成る。
【００３１】
即ち、感光体ドラム１０１０上のトナー像を転写した転写材１００４は、定着部１０２３を通過する際に定着ローラ対１０２４，１０２５で搬送されるとともに、定着ローラ対１０２４，１０２５によって熱及び圧力を印加される。これによって複数色のトナー像が転写材１００４表面に定着される。
【００３２】
又、イエロー、マゼンタ、シアンのプロセスカートリッジ１０１６は、図示しない昇降機構によって感光体ドラム１０１０が静電搬送ベルト１００８に当接した状態から上方へ移動し、静電搬送ベルト１００８から離間した位置へ移動可能に構成されている。そして、選択された記録モードに応じて前記昇降機構が動作するようになっている。
【００３３】
図２は、本発明に係る画像形成装置であり、ホストコンピュータ２００１とカラーレーザービームプリンタ２０３０及びその両者を接続している通信線２００２から構成されるシステム構成図である。
【００３４】
カラーレーザービームプリンタ２０３０内の２０３１は、プリンタ全体の動作を司るカラーレーザービームプリンタ制御ユニットである。制御ユニットには、ホストコンピュータとの入出力を司るホストＩ／Ｆ部２０３２を通じて、制御コード、各通信手段からデータの送受信を行うための入出力バッファ２０３３、制御ユニット全体の動作を制御するＣＰＵ２０３７、ＣＰＵの動作を記述するプログラムが内蔵されているプログラムＲＯＭ２０５０、前記制御コード、データの解釈や印刷に必要な計算、印字データの処理のためのワークメモリに利用されるＲＡＭ２０６０、ホストコンピュータから受信したデータの設定より各種の画像オブジェクトを生成する画像情報生成部２０５１、画像オブジェクトをビットマップ画像に展開し、展開されたビットマップ画像を印刷装置エンジンに転送するビットマップ画像転送部２０３８、実際に紙に印刷を行う印刷装置エンジン部２０８２と制御ユニットとエンジン部を繋ぐエンジンＩ／Ｆ部２０８３、印刷装置の操作を行う操作パネル２０８０、制御ユニットと操作パネルを繋ぐパネルＩ／Ｆ部及び印字データや様々な印刷装置の情報等の保存に利用される外部メモリ２０８１と制御ユニットと外部メモリを繋ぐメモリＩ／Ｆ部２０３６、転写材を出力する排紙装置部４０８４と制御ユニットと排紙装置部を繋ぐ排紙装置Ｉ／Ｆ部２０４０、そして、各ユニットを繋ぐシステムバス２０３４からシステムは構成されている。
【００３５】
尚、プログラムＲＯＭ２０５０には、ホストコンピュータ２００１から受信したデータより各種画像オブジェクトを生成する画像情報生成モジュール２０５１、紙搬送経路を監視する紙搬送監視モジュール２０５２、操作パネル部２０８０の表示を制御する表示制御モジュール２０５３を含む。
【００３６】
次に、上述したシステム構成でのプリンタコントローラでの動作について以下に説明する。
【００３７】
ホストコンピュータにおいて、ユーザーからの指定により、印刷の実行が指定されると、ホストコンピュータから通信線２００２を介して送信されてきた印字データの集まりであるジョブは、ホストＩ／Ｆ部２０３２を介して入力バッファ２０３３を経由してＲＡＭ２０６０に蓄えられる。ＣＰＵ２０３７は、プログラムＲＯＭ２０５０に記述されたプログラムに従い、画像情報生成モジュール２０５１を実行してデータの処理を行い、図形や文字、イメージデータ等、各々の画像オブジェクトについての画像情報を生成する。
【００３８】
１ページ内の全ての画像オブジェクトの画像情報を生成後、ビットマップ画像展開／転送部２０３８において実際に印刷するビットマップ画像に展開し、展開されたビットマップ画像は、印刷装置エンジン部２０８２に送られ、転写材に印刷され、給排紙口設定部で指定された給紙口より給紙を行い、指定された排紙口より排紙されることになる。
【００３９】
以下にカラーレーザービームプリンタにおける操作パネルについて説明する。
【００４０】
図３は、本発明に係るカラーレーザービームプリンタにおける操作パネルの要部概略図である。
【００４１】
ステータス表示部３００１は、プリンタのエラー種別やステータス、メッセージなどの文字情報を表示する。操作キー３００３、実行キー３００４、給紙選択キー３００６は、プリンタの各種動作環境の設定やトランスレータの様々な環境を変更するために使用するキーである。オンラインキー３００７は、オンライン・オフラインを切り替えるために使用するキーである。オンライン時は、ジョブポートからの印刷ジョブ入力が可能である。一方、オフライン時は、ジョブポートからの印刷ジョブ入力とプリンタ本体への排紙指示を止めた状態である。ジョブキャンセルキー３００８は、残留データを排紙し、その印刷ジョブを終了させるために使用するキーである。
【００４２】
各種ＬＥＤ３００２は、左から、印刷可ＬＥＤ、メッセージＬＥＤ、ＨＤＤ  ＬＥＤ、ジョブＬＥＤである。印刷可ＬＥＤが点灯した場合、非エラー状態を示す。印刷可ＬＥＤが点滅した場合、プリンタ本体のウォーミングアップ中を示す。印刷可ＬＥＤが消灯した場合、エラー状態もしくは電源切断状態を示す。メッセージＬＥＤは、エラー状態か否かを示すＬＥＤである。ＨＤＤ  ＬＥＤはＨＤＤへのアクセス状況を示すＬＥＤである。ジョブＬＥＤは、ジョブ状態か否かを示すＬＥＤである。ジョブ状態とは、印刷ジョブを受信してから処理が完了するまでの状態のことを指す。主電源ＬＥＤ３００９は、本体の電源が入っているか否かを示すＬＥＤである。給紙口ＬＥＤ３００５は、選択されている給紙口と、用紙の有無を示すＬＥＤである。
【００４３】
図４は、本発明に係る画像形成装置であるカラーレーザービームプリンタにおける操作パネル上の給紙口ＬＥＤの表示方法を示す表である。
【００４４】
給紙口に用紙が無く、印刷ジョブが無い場合、使用選択されている給紙口に対応するＬＥＤ及び使用選択されていない給紙口に対応するＬＥＤは共に点滅する。
給紙口に用紙が無く、印刷ジョブが有る場合、使用選択されている給紙口に対応するＬＥＤは点滅させ、使用選択されていない給紙口に対応するＬＥＤは消灯する。
【００４５】
給紙口に用紙が有り、印刷ジョブが無い場合、使用選択されている給紙口に対応するＬＥＤは消灯させ、使用選択されていない給紙口に対応するＬＥＤは消灯する。
【００４６】
給紙口に用紙が有り、印刷ジョブが有る場合、使用選択されている給紙口に対応するＬＥＤは点灯させ、使用選択されていない給紙口に対応するＬＥＤは消灯する。
【００４７】
なお、図４におけるＬＥＤの点滅と点灯を入れ替えても良い。
【００４８】
印刷ジョブの有無によってＬＥＤの表示方法を変えることで、ユーザーにとって必要な給紙口に的確に給紙を行うことが出来る。つまり、ユーザーにとって不必要な給紙口に用紙補給を行わせて印刷処理を妨げることを抑止することができる。
【００４９】
図５を用いて、本実施例の画像形成装置において、操作パネルにおける用紙カセットもしくはトレイに対応したＬＥＤを点灯、点滅、もしくは消灯させるフローについて説明する。
【００５０】
（ステップ１）では、複数ある用紙カセットもしくはトレイのうち１つを選択する。用紙カセットもしくはトレイのうち１つを選択した後、ステップ２へ移行する。
【００５１】
（ステップ２）では、選択された用紙カセットもしくはトレイに用紙があるか否かを判断する。選択された用紙カセットもしくはトレイに用紙が無い場合ステップ３へ、選択された用紙カセットもしくはトレイに用紙が有る場合ステップ４へ移行する。
【００５２】
（ステップ３）では、操作パネル上の選択された用紙カセットもしくはトレイに対応するＬＥＤを点滅させる。ＬＥＤを点滅させた後、ステップ５へ移行する。
【００５３】
（ステップ４）では、操作パネル上の選択された用紙カセットもしくはトレイに対応するＬＥＤを消灯させる。ＬＥＤを消灯させた後、ステップ５へ移行する。
【００５４】
（ステップ５）では、複数ある用紙カセットもしくはトレイ全てにおける用紙の有無を確認したか否かを判断する。用紙カセットもしくはトレイ全てにおける用紙の有無を確認していない場合ステップ１へ、用紙カセットもしくはトレイ全てにおける用紙の有無を確認した場合ステップ６へ移行する。
【００５５】
（ステップ６）では、印刷ジョブがあるか否かを判断する。印刷ジョブが無い場合処理終了へ、印刷ジョブがある場合ステップ７へ移行する。
【００５６】
（ステップ７）では、印刷ジョブで指定された用紙カセットもしくはトレイに用紙があるか否かを判断する。印刷ジョブで指定された用紙カセットもしくはトレイに用紙が無い場合ステップ８へ、印刷ジョブで指定された用紙カセットもしくはトレイに用紙が有る場合ステップ９へ移行する。
【００５７】
（ステップ８）では、印刷ジョブで指定された用紙カセットもしくはトレイに対応する操作パネル上のＬＥＤを点滅させる。ＬＥＤを点滅させた後、ステップ１０へ移行する。
【００５８】
（ステップ９）では、印刷ジョブで指定された用紙カセットもしくはトレイに対応する操作パネル上のＬＥＤを点灯させる。ＬＥＤを点灯させた後、ステップ１０へ移行する。
【００５９】
（ステップ１０）では、印刷ジョブで指定されていない用紙カセットもしくはトレイに対応する操作パネル上のＬＥＤを消灯させる。ＬＥＤを消灯させた後、処理終了へ移行する。
【００６０】
上記の処理フローを行うことで、用紙が無い用紙カセットもしくはトレイが複数ある場合でも、用紙が無い用紙カセットもしくはトレイを瞬時に判断することができる。また、印刷ジョブの有無によってＬＥＤの表示方法を変えることで、ユーザーにとって必要な用紙カセットもしくはトレイに的確に給紙を行うことが出来る。つまり、ユーザーにとって不必要な用紙カセットもしくはトレイに用紙補給を行わせて印刷処理を妨げることを抑止することができる。その結果、印刷処理をスムーズに行うことができ、従来以上にユーザビリティの高い印刷処理を行うことができる。
【図面の簡単な説明】
【００６１】
【図１】本発明に係る画像形成装置である４色フルカラーレーザービームプリンタの要部概略を説明する図
【図２】本発明に係る画像形成装置である４色フルカラーレーザービームプリンタのシステム構成を説明する図
【図３】本発明に係る画像形成装置であるカラーレーザービームプリンタにおける操作パネルの要部概略を説明する図
【図４】本発明に係る画像形成装置であるカラーレーザービームプリンタにおける操作パネル上の給紙口ＬＥＤの表示方法を示す表
【図５】本実施例の画像形成装置において、操作パネルにおける用紙カセットもしくはトレイに対応したＬＥＤを点灯、点滅、もしくは消灯させるフローについて説明する図
【符号の説明】
【００６２】
１００１    排紙部
１００２    パネル部
１００４    転写材
１００５    給紙カセット
１００６    給紙ローラ
１００７    搬送ローラ
１００８    静電搬送ベルト
１０１０    感光体ドラム
１０１１    帯電装置
１０１２    スキャナ部
１０１３    現像装置
１０１４    静電搬送転写装置
１０１６    プロセスカートリッジ
１０１７    結像レンズ
１０１８    従動ローラ
１０１９    転写ローラ
１０２０    駆動ローラ
１０２１    テンションローラ
１０２２    給紙部
１０２３    定着部
１０２４    加熱ローラ
１０２５    加圧ローラ
１０２６    排紙ローラ対
１０２８    ポリゴンミラー
２００１    ホストコンピュータ
２００２    通信線
２０３０    カラーレーザービームプリンタ
２０３１    プリンタコントローラ
２０３２    ホストＩ／Ｆ部
２０３３    入出力バッファ
２０３４    システムバス
２０３５    パネルＩ／Ｆ部
２０３６    メモリＩ／Ｆ部
２０３７    ＣＰＵ
２０３８    ビットマップ画像展開／転送部
２０３９    エンジンＩ／Ｆ部
２０５０    プログラムＲＯＭ
２０５１    画像情報生成モジュール
２０６０    ＲＡＭ
２０８０    操作パネル部
２０８１    外部メモリ部
２０８２    印刷装置エンジン部
２０８３    エンジン制御部
【図１】
2006250980.tif 000003
【図２】
2006250980.tif 000004
【図４】
2006250980.tif 000005
【図５】
2006250980.tif 000006
【図３】
2006250980.tif 000007